(57)【要約】【課題】関連したＥＳＧフラグメントを有するプログラム又はサービスを、指定された位置内の受信機に伝送するための装置及び方法を提供する。【解決手段】サービスガイド、又はプログラム、サービス、及び対応するＥＳＧフラグメントをブロードキャストすることができる位置を示す他のデータ・フラグメント内に、パラメータ、エレメント、サブエレメントを含ませることができる。例えば、プログラム又はサービスをブロードキャストできる位置を示すために、セルＩＤを、ＥＳＧフラグメント内のエレメント又はサブエレメントとして示すことができる。また、セルＩＤをグループ化して、サービスガイドにおいてプログラム又はサービス及び対応するＥＳＧフラグメントをブロードキャストするためのより広い地域を示すことができる。【選択図】図１
2009507444.tif 000002
【特許請求の範囲】
【請求項１】
指定された位置に伝送されるデータを受信するように構成された入力部と、
前記指定された位置に対応する、セルＩＤ及びセルＩＤのグループ一方の指定を含むパラメータを受信するように構成されたＩＤ入力部と、
前記パラメータに基づいて、伝送されるデータを前記指定された位置に割り当てるように構成されたプロセッサと、
前記指定された位置に前記データを伝送するように構成された出力部と、
を備えること特徴とする装置。
【請求項２】
前記ＩＤ入力部は、ＥＳＧフラグメント内の前記パラメータを受信するように構成されることを特徴とする、請求項１に記載の装置。
【請求項３】
前記ＩＤ入力部は、コンテンツ・フラグメント内の前記パラメータを受信するように構成されることを特徴とする、請求項１に記載の装置。
【請求項４】
伝送データを受信するように構成された入力部と、
受信機が配置される位置に対応する位置情報を受信するように構成された、セルＩＤ及びセルＩＤのグループの一方を含む位置情報入力部と、
前記入力部で受信された前記伝送データに対応する目的地情報を決定し、前記目的地情報が前記位置情報と合致するとき、該入力部で受信された該伝送データを処理するように構成されたプロセッサと、
を備えることを特徴とする装置。
【請求項５】
前記目的地情報が前記位置情報と合致する場合、前記入力部で受信された前記伝送データを表示するように構成された出力部をさらに備えることを特徴とする、請求項４に記載の装置。
【請求項６】
前記目的地情報が前記位置情報と合致する場合、前記伝送データを格納するように構成された記憶装置をさらに備えることを特徴とする、請求項４に記載の装置。
【請求項７】
ブロードキャスト・データが伝送される位置に対応する位置情報を受信し、
前記位置情報に対応する第１のセルＩＤを決定し、
前記第１のセルＩＤに基づいて、前記ブロードキャスト・データの前記伝送を位置に割り当て、
前記ブロードキャスト・データを前記位置に伝送する、
ステップを含むことを特徴とする方法。
【請求項８】
前記位置情報は郵便番号を含むことを特徴とする、請求項７に記載の方法。
【請求項９】
前記割り当てるステップは、
第２のセルＩＤを決定し、
前記ブロードキャスト・データの前記伝送を、前記第１のセルＩＤに対応する第１の位置及び前記第２のセルＩＤに対応する第２の位置に割り当てる、
ステップを含むことを特徴とする、請求項７に記載の方法。
【請求項１０】
前記伝送するステップは、前記ブロードキャスト・データを、前記第１のセルＩＤ及び前記第２のセルＩＤの両方に対応する位置に伝送するステップを含むことを特徴とする、請求項９に記載の方法。
【請求項１１】
伝送データを受信し、
受信機が配置される位置に対応する、セルＩＤ及びセルＩＤのグループの一方を含む位置情報を受信し、
前記受信された伝送データに対応する目的地情報を決定し、
前記目的地情報が前記位置情報と合致するとき、前記受信された伝送データを処理する、
ステップを含むことを特徴とする方法。
【請求項１２】
前記目的地情報が前記位置情報と合致する場合、前記受信された伝送データを表示するステップをさらに含むことを特徴とする、請求項１１に記載の方法。
【請求項１３】
前記目的地情報が前記位置情報と合致する場合、前記伝送データを格納するステップをさらに含むことを特徴とする、請求項１１に記載の方法。
【請求項１４】
システムであって、
指定された位置に伝送されるデータを受信するように構成された送信機入力部と、
前記指定された位置に対応する、セルＩＤ及びセルＩＤのグループの一方の指定を含むパラメータを受信するように構成されたＩＤ入力部と、
前記パラメータに基づいて、前記伝送されるデータを前記指定された位置に割り当てるように構成されたプロセッサと、
前記データを前記指定された位置に伝送するように構成された出力部と、
を含む送信機と、
伝送データを受信するように構成された受信機入力部と、
前記受信機が配置される位置に対応する、セルＩＤ及びセルＩＤのグループの一方を含む位置情報を受信するように構成された位置情報入力部と、
前記受信機入力部で受信された前記伝送データに対応する目的地情報を決定し、前記目的地情報が前記位置情報と合致するとき、該受信機入力部で受信された該伝送データを処理するように構成されたプロセッサと、
を含む受信機と、
を備えることを特徴とするシステム。
【請求項１５】
前記ＩＤ入力部は、ＥＳＧフラグメント内の前記パラメータを受信するように構成されることを特徴とする、請求項１４に記載のシステム。
【請求項１６】
前記ＩＤ入力は、コンテンツ・フラグメント内の前記パラメータを受信するように構成されることを特徴とする、請求項１４に記載のシステム。
【請求項１７】
前記目的地情報が前記位置情報と合致する場合、前記受信機入力部で受信された前記伝送データを表示するための受信機出力部をさらに備えることを特徴とする、請求項１４に記載のシステム。
【請求項１８】
前記目的地情報が前記位置情報と合致する場合、前記受信機で受信された前記伝送データを格納するための受信機記憶装置をさらに備えることを特徴とする、請求項１４に記載のシステム。
【請求項１９】
装置にステップを実行させるためのコンピュータ実行可能命令を含むコンピュータ可読媒体であって、
ブロードキャスト・データが伝送される位置に対応する位置情報を受信し、
前記位置情報に対応する第１のセルＩＤを決定し、
前記第１のセルＩＤに基づいて、前記ブロードキャスト・データの前記伝送を位置に割り当て、
前記ブロードキャスト・データを前記位置に伝送する、
ステップを含むことを特徴とするコンピュータ可読媒体。
【請求項２０】
前記位置情報は郵便番号を含むことを特徴とする、請求項１９に記載のコンピュータ可読媒体。
【請求項２１】
前記割り当てるステップは、
第２のセルＩＤを決定し、
前記ブロードキャスト・データの前記伝送を、前記第１のセルＩＤに対応する第１の位置及び前記第２のセルＩＤに対応する第２の位置に割り当てる、
ステップを含むことを特徴とする、請求項１９に記載のコンピュータ可読媒体。
【請求項２２】
前記伝送するステップは、前記ブロードキャスト・データを、前記第１のセルＩＤ及び前記第２のセルＩＤの両方に対応する位置に伝送するステップを含むことを特徴とする、請求項２１に記載のコンピュータ可読媒体。
【請求項２３】
ブロードキャスト・データが伝送される位置に対応する位置情報を受信するための手段と、
前記位置情報に対応する第１のセルＩＤを決定するための手段と、
前記第１のセルＩＤに基づいて、前記ブロードキャスト・データの前記伝送を位置に割り当てるための手段と、
前記ブロードキャスト・データを前記位置に伝送するための手段と、
を備えることを特徴とする装置。
【請求項２４】
前記位置情報は郵便番号を含むことを特徴とする、請求項２３に記載の装置。
【請求項２５】
前記割り当てるための手段は、
第２のセルＩＤを決定するための手段と、
前記ブロードキャスト・データの前記伝送を、前記第１のセルＩＤに対応する第１の位置及び前記第２のセルＩＤに対応する第２の位置に割り当てるための手段と、
を含むことを特徴とする、請求項２３に記載の装置。
【請求項２６】
前記伝送するための手段は、前記ブロードキャスト・データを、前記第１のセルＩＤ及び前記第２のセルＩＤの両方に対応する位置に伝送するための手段を含むことを特徴とする、請求項２５に記載の装置。
【請求項２７】
伝送データを受信するための手段と、
受信機が配置される位置に対応する、セルＩＤ及びセルＩＤのグループの一方を含む位置情報を受信するための手段と、
前記受信された伝送データに対応する目的地情報を決定するための手段と、
前記目的地情報が前記位置情報と合致するとき、前記受信された伝送データを処理するための手段と、
を備えることを特徴とする装置。
【請求項２８】
前記目的地情報が前記位置情報と合致する場合、前記受信された伝送データを表示するための手段をさらに備えることを特徴とする、請求項２７に記載の装置。
【請求項２９】
前記目的地情報が前記位置情報と合致する場合、前記伝送データを格納するための手段をさらに備えることを特徴とする、請求項２７に記載の装置。
【発明の詳細な説明】
【技術分野】
【０００１】
本発明の実施形態は、一般に、通信ネットワークに関する。より具体的には、本発明の実施形態は、ブロードキャスト通信システムの中の局所化された移動体ブロードキャスト・サービスガイドに関する。
（関連出願の相互参照）
本出願は、２００５年９月７日に出願された米国特許仮出願第６０／７１４，２６０号に基づく優先権を主張するものであり、その内容は引用により本明細書に組み入れられる。
【背景技術】
【０００２】
デジタル広帯域ブロードキャスト・ネットワークは、エンドユーザが、ビデオ、音声、データ等を含むデジタル・コンテンツを受信することを可能にする。移動体端末を用いる際、ユーザは、無線デジタル・ブロードキャスト・ネットワークによってデジタル・コンテンツを受信することができる。例えば、ＭＰＥＧ−ＴＳ（Ｍｏｖｉｎｇ  Ｐｉｃｔｕｒｅｓ  Ｅｘｐｅｒｔｓ  Ｇｒｏｕｐ  Ｔｒａｎｓｐｏｒｔ  Ｓｔｒｅａｍ）規格によってもたらされるような、パケット化された伝送を用いて、デジタル・コンテンツを無線で伝送することができる。
【０００３】
利用可能な幾つかのブロードキャスト・サービスがある。例えば、３ＧＰＰ（Ｔｈｉｒｄ−ｇｅｎｅｒａｔｉｏｎ  Ｐａｒｔｎｅｒｓｈｉｐ  Ｐｒｏｊｅｃｔ）は、Ｇｌｏｂａｌ  Ｓｙｓｔｅｍ  ｆｏｒ  Ｍｏｂｉｌｅ  Ｃｏｍｍｕｎｉｃａｔｉｏｎｓ／Ｗｉｄｅｂａｎｄ  ＣＤＭＡ（ＧＳＭ／ＷＣＤＭＡ）においてブロードキャスト・サービスを提供し、３ＧＰＰ２（Ｔｈｉｒｄ−ｇｅｎｅｒａｔｉｏｎ  Ｐａｒｔｎｅｒｓｈｉｐ  ２）は、ＣＤＭＡ２０００においてブロードキャスト・サービスを提供する。ＧＳＭ／ＷＣＤＭＡにおける作業項目は、マルチメディア・ブロードキャスト及びマルチキャスト・サービス（ＭＢＭＳ）である。ＣＤＭＡ２０００における作業項目は、ブロードキャスト及びマルチキャスト・サービス（ＢＣＭＣＳ）である。
【０００４】
３ＧＰＰのＭＢＭＳ及び３ＧＰＰ２のＢＣＭＣＳ、Ｏｐｅｎ  Ｍｏｂｉｌｅ  Ａｌｌｉａｎｃｅ（ＯＭＡ）ＢＣＡＳＴに加えて、移動体ブロードキャスト・サービスのためのサブワーキンググループは、コンテンツ保護、サービスガイド、プログラムガイドなどのＯＭＡ  ＢＣＡＳＴサービス、或いは、ＭＢＭＳ、ＢＣＭＣＳのような基礎をなすブロードキャスト・サービス、又はＤＶＢ−Ｈ（Ｄｉｇｉｔａｌ  Ｖｉｄｅｏ  Ｂｒｏａｄｃａｓｔｉｎｇ  ｈａｎｄｈｅｌｄ）などのデジタル広帯域ブロードキャスト・システムのための伝送のスケジューリングを提供する。
【０００５】
移動体通信システムにおいては、ユーザが配置される位置が変わり得る。指定された位置にいるユーザに有用な情報を、その位置に合うように調整することが可能である。例えば、天気又は交通情報は、位置に基づいて異なることがあり、ユーザは、例えば、ユーザが位置する都市の天気についての情報を望むことがある。しかしながら、ユーザが第２の都市に移動する場合には、ユーザは、次に第１の都市ではなく第２の都市の天気情報を受け取りたいと思う。また、加入者端末の位置に関する情報は、標準化された方法で正確に与える必要があり、使用される通信に、すなわち端末がＯＭＡ  ＢＣＡＳＴ、ＭＢＭＳ、ＢＣＭＣＳ、又はＤＶＢ−Ｈのような他のいずれかの通信システムであるかどうかに依存すべきではない。通信システムは、適切な情報を正しくユーザに送信できるように、ユーザの位置を識別する必要がある。
したがって、様々な通信システムにわたって局所化情報を提供する標準化された方法を提供するための必要性がある。
【発明の開示】
【０００６】
以下は、本発明の一部の態様の基本的な理解を提供するために、簡単化された要約を提示するものである。この要約は、本発明の広範な概要ではない。この要約は、本発明の手掛かり又は重要なエレメントを識別することも、本発明の範囲を詳細に描写することも意図していない。次の要約は、以下のより詳細な説明への前置きとして簡単化された方法で本発明の一部の概念を提示するものにすぎない。
一例においては、プログラム又はサービス・データ、及び対応するＥＳＧフラグメントを、所定の位置内の加入者端末又は受信機に伝送するための送信機が提供される。例えば、送信機がデータを伝送できるセルＩＤ領域内に、加入者端末又は受信機を配置することができる。加入者端末又は受信機は、位置内でデータ伝送及び対応するＥＳＧフラグメントを受信することができる。
【０００７】
別の例において、送信機からデータ伝送を受信するための受信機が提供される。所定の位置又は地域に、伝送をブロードキャストする又は伝送することができる。位置又は地域は、セルＩＤ又はセルＩＤのグループに対応することができる。受信機が、セルＩＤ又はセルＩＤのグループにより指示される位置又は地域内にあるとき、受信機は、伝送されるプログラム又はサービス及び対応するＥＳＧフラグメントを受信することができる。
別の例において、データを所定の位置に伝送する方法が提供される。この例において、位置情報が受信され、処理される。位置情報を対応するセルＩＤと合致させることができ、データ伝送を、セルＩＤに対応する位置に伝送することができる。
【発明を実施するための最良の形態】
【０００８】
本発明の実施形態及びその利点のより完全な理解は、同様の参照番号が同様の特徴を示す添付の図面を考慮して次の説明を参照することによって得ることができる。
種々の実施形態の次の説明において、その一部を形成し、本発明を実施することができる種々の実施形態を例証として示す添付図面を参照する。他の実施形態を用いることも可能であり、本発明の範囲及び精神から逸脱することなく、構造上かつ機能上の変更をなすこともできる。
【０００９】
本発明の実施形態は、広域的なネットワーク及び通信プロトコルにわたって用いることができる。図１は、本発明によるシステム及び方法を用いることができる無線通信システム１１０の例を示す。携帯情報端末（ＰＤＡ）、携帯電話、移動体端末、パーソナル・ビデオ・レコーダ、携帯用テレビ、パーソナル・コンピュータ、デジタルカメラ、デジタルカムコーダ、携帯用オーディオ装置、携帯用ラジオ、又はこれらの組み合わせといった１つ又はそれ以上のネットワーク対応の移動体装置１１２が、ブロードキャスト・ネットワーク１１４及び／又はセルラー・ネットワーク１１６を通して、サービス・ソース１２２と通信状態にある。移動体端末／装置１１２は、デジタル・ブロードキャスト受信機装置を含むことができる。サービス・ソース１２２は、実際のプログラム・コンテンツ又は情報、或いはそれらのサービス及びプログラムの記述を、サービス・ソースに提供することができる幾つかのサービス提供者に接続することができ、それぞれのサービス提供者は、さらに、コンテンツ又は情報を移動体装置１１２に提供する。幾つかのサービス・プロバイダは、これらに限られるものではないが、１つ又はそれ以上のテレビ及び／又はデジタルテレビ・サービス提供者、ＡＭ／ＦＭラジオ・サービス提供者、ＳＭＳ／ＭＭＳプッシュサービス提供者、インターネット・コンテンツ又はアクセス提供者を含むことができる。
【００１０】
ブロードキャスト・ネットワーク１１４は、ＤＶＢ−ＨによるＩＰデータ放送の無線伝送を含むことができる。ブロードキャスト・ネットワーク１１４は、送信機１１８を介して、デジタル又はアナログ・テレビ信号のようなサービス、及びサービスに関連した補足的コンテンツをブロードキャストすることができる。ブロードキャスト・ネットワークはまた、ラジオ、テレビ、又はＩＰデータ放送ブロードキャスト・ネットワークを含むこともできる。ブロードキャスト・ネットワーク１１４はまた、テレビ信号、音声及び／又はビデオ・ストリーム、データ・ストリーム、ビデオ・ファイル、音声ファイル、ソフトウエア・ファイル、及び／又はビデオゲームを含むことができる補足的コンテンツを伝送することもできる。ＩＰデータ放送サービスを伝送する場合、サービス・ソース１２２は、ブロードキャスト・ネットワーク１１４を通して実際のプログラム・コンテンツをユーザ装置１１２に伝えることができ、セルラー・ネットワーク１１６を通して実際のプログラム・コンテンツについての、ユーザの権利及びアクセス情報などの付加的な情報を伝えることができる。
【００１１】
移動体装置１１２はまた、セルラー・ネットワーク１１６を通してサービス・ソース１２２と連絡を取ることができる。セルラー・ネットワーク１１６は、無線ネットワークと、基地局送信機１２０とを含むことができる。セルラー・ネットワークは、第２／第３世代（２Ｇ／３Ｇ）のセルラー方式データ通信ネットワーク、Ｇｌｏｂａｌ  Ｓｙｓｔｅｍ  ｆｏｒ  Ｍｏｂｉｌｅ  ｃｏｍｍｕｎｉｃａｔｉｏｎｓ  ｎｅｔｗｏｒｋ（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、又はＷＬＡＮネットワークのような他の無線通信ネットワークを含むことができる。
【００１２】
本発明の１つの態様において、移動体装置１１２は、セルラー・ネットワーク１１６内でデジタル無線通信を送信及び／又は受信するように構成された無線インタフェースを含むことができる。セルラー・ネットワーク１１６又はブロードキャスト・ネットワーク１１４を通して移動体装置１１２が受信した情報は、ユーザ選択、アプリケーション、サービス、電子画像、音声クリップ、ビデオクリップ、及び／又はＷＴＡＩ（Ｗｉｒｅｌｅｓｓ  Ｔｅｌｅｐｈｏｎｙ  Ａｐｐｌｉｃａｔｉｏｎ  Ｉｎｔｅｒｆａｃｅ）メッセージを含むことができる。セルラー・ネットワーク１１６の一部として、受信機装置がセルラー・ネットワーク１１６の管理ドメイン内に位置する間、１つ又はそれ以上の基地局（図示せず）が受信機装置１１２とのデジタル通信をサポートすることができる。
【００１３】
図２に示されるように、移動体装置１１２は、ユーザ・インタフェース１３０、メモリ１３４及び／又は他の記憶装置に接続されたプロセッサ１２８、及びディスプレイ１３６を含むことができる。移動体装置１１２はまた、バッテリ１５０、スピーカ１５２、及びアンテナ１５４を含むこともできる。ユーザ・インタフェース１３０は、キーパッド、タッチ・スクリーン、音声インタフェース、４つの矢印キー、ジョイスティック、データグローブ、マウス、ローラーボール等をさらに含むことができる。
【００１４】
プロセッサ１２８が用いるコンピュータ実行可能命令及びデータ、並びに移動体装置１１２内の他のコンポーネントは、コンピュータ可読メモリ１３４内に格納することができる。随意的に揮発性メモリ及び不揮発性メモリの両方を含む、読み出し専用メモリ・モジュール又はランダム・アクセス・メモリ・モジュールの任意の組み合わせを用いて、メモリを実装することができ、メモリ・モジュールの一部は、取り外し可能にしてもよい。移動体装置１２２が種々の機能を実行することを可能にするために、ソフトウエア１４０をメモリ１３４及び／又は記憶装置内に格納して、プロセッサ１２８に命令を与えることができる。代替的に、移動体装置１１２のコンピュータ実行可能命令の一部又は全てを、ハードウェア又はファームウェア（図示せず）内に組み入れることもできる。
【００１５】
特定のＤＶＢ受信機１４１を通して、例えば、ＤＶＢ−Ｈ又はＤＶＢ−ＭＨＰのようなＤｉｇｉｔａｌ  Ｖｉｄｅｏ  Ｂｒｏａｄｃａｓｔ（ＤＶＢ）規格に基づいたデジタル広帯域ブロードキャスト伝送を受信し、デコードし、処理するように、移動体装置１１２を構成することができる。移動体装置には、デジタル広帯域ブロードキャスト伝送のための他のタイプの受信機を設けることもできる。さらに、ＦＭ／ＡＭラジオ受信機１４２、ＷＬＡＮ送信機１４３、及び遠隔通信送信機１４４を通して、伝送を受信し、デコードし、処理するように、受信機装置１１２を構成することもできる。さらに、Ｄｉｇｉｔａｌ  Ａｕｄｉｏ  Ｂｒｏａｄｃａｓｔｉｎｇ（ＤＡＢ）規格（図示せず）に基づいて伝送を受信するように、移動体装置を構成することもできる。本発明の１つの態様において、移動体装置１１２は、無線データ・ストリーム（ＲＤＳ）メッセージを受信することができる。
【００１６】
ＤＶＢ規格の一例においては、１つのＤＶＢ１０Ｍｂｉｔ／ｓ伝送は、２００，５０ｋｂｉｔ／ｓの音声プログラム・チャネル、又は５０，２００ｋｂｉｔ／ｓのビデオ（ＴＶ）プログラム・チャネルを有することができる。Ｄｉｇｉｔａｌ  Ｖｉｄｅｏ  Ｂｒｏａｄｃａｓｔ−Ｈａｎｄｈｅｌｄ（ＤＶＢ−Ｈ）規格、或いはＤＶＢ−ＭＨＰ、ＤＶＢ−Ｓａｔｅｌｌｉｔｅ（ＤＶＢ−Ｓ）、ＤＶＢ−Ｔｅｒｒｅｓｔｒｉａｌ（ＤＶＢ−Ｔ）、又はＤＶＢ−Ｃａｂｌｅ（ＤＶＢ‐Ｃ）のような他のＤＶＢ規格に基づいて、伝送を受信し、デコードし、処理するように、移動体装置１１２を構成することができる。同様に、代替的に他のデジタル伝送形式を用いて、ＡＴＳＣ（Ａｄｖａｎｃｅｄ  Ｔｅｌｅｖｉｓｉｏｎ  Ｓｙｓｔｅｍｓ  Ｃｏｍｍｉｔｅｅ）、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＩＳＤＢ−Ｔ）（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＡＢ（Ｄｉｇｉｔａｌ  Ａｕｄｉｏ  Ｂｒｏａｄｃａｓｔｉｎｇ）、ＤＭＢ（Ｄｉｇｉｔａｌ  Ｍｕｌｔｉｍｅｄｉａ  Ｂｒｏａｄｃａｓｔｉｎｇ）、ＦＬＯ（Ｆｏｒｗａｒｄ  Ｌｉｎｋ  Ｏｎｌｙ）、又はＤＩＲＥＣＴＶのような、補足的サービスのコンテンツ及び可用性情報を送信することができる。さらに、デジタル伝送は、ＤＶＢ−Ｈ技術におけるように、タイム・スライス型のものにすることができる。タイム・スライシングは、移動体端末の平均電力消費を低減することができ、滑らかでシームレスなハンドオーバを可能にする。タイム・スライシングは、従来のストリーミング機構を用いてデータが伝送された場合に必要とされるビットレートと比べると、より大きい瞬時ビットレートを用いて一気にデータを送ることからなる。この場合、移動体装置１１２は、提示前にデコードされたタイム・スライス型伝送を格納するための、１つ又はそれ以上のバッファ・メモリを有することができる。
【００１７】
電子サービスガイド（ＥＳＧ）の範囲内で、利用可能なサービスに関する情報を加入者端末又は受信機に伝送することができる。したがって、ＥＳＧにより、端末が、どのサービスがエンドユーザに利用可能であるか、及び、そのサービスにどのようにアクセスできるかを通信することが可能になる。ＥＳＧフラグメントは、独立して存在するＥＳＧの断片である。従来より、ＥＳＧフラグメントは、ＸＭＬ文書を含んでいたが、最近では、例えば、ＳＤＰ（Ｓｅｓｓｉｏｎ  Ｄｅｓｃｒｉｐｔｉｏｎ  Ｐｒｏｔｏｃｏｌ）記述、テキストファイル、又は画像のような膨大な項目を含んでいる。ＥＳＧフラグメントは、現在のところ利用可能な（又は将来の）サービス又はブロードキャスト・プログラムの１つ又は幾つかの側面を記述する。このような側面は、例えば、自由記述、スケジュール、地理的可用性、価格、購入方法、ジャンル、及びプレビュー画像又はクリップのような補足的情報を含むことができる。多くの異なるプロトコルに従った無線デジタル広帯域ブロードキャスト・ネットワークを含む種々のタイプのネットワークを通して、音声、ビデオ、及びＥＳＧフラグメントを含む他のタイプのデータを伝送することができる。例えば、Ｉｎｔｅｒｎｅｔ  Ｐｒｏｔｏｃｏｌ（ＩＰ）及びＵｓｅｒ  Ｄａｔａｇｒａｍ  Ｐｒｏｔｏｃｏｌ（ＵＤＰ）などのインターネット・プロトコル群（Ｉｎｔｅｒｎｅｔ  ｐｒｏｔｏｃｏｌ  ｓｕｉｔｅ）を使用する、通常「インターネット」と呼ばれるネットワークの集合体を通して、データを伝送することができる。ＥＳＧフラグメントはまた、ＡＬＣ及びＦＬＵＴＥプロトコルを用いて伝送することもできる。単一のユーザにアドレス指定されたインターネットを通して、データを伝送することが多い。しかしながら、データをユーザのグループにアドレス指定することができる（一般にマルチキャストとして知られる）。全てのユーザにデータをアドレス指定する場合、これはブロードキャストと呼ばれる。
【００１８】
ＥＳＧフラグメントは、メタデータ、及びサービス又はコンテンツの記述を含み、ＸＭＬのような構文を用いてインスタンス化される。ＥＳＧフラグメントの種々の属性に関してＥＳＧフラグメントを識別するために、識別子が用いられる。しかしながら、これらの識別子は、サイズが大きいために、大きいオーバーヘッドをもたらすことが多い。例えば、Ｕｎｉｆｏｒｍ  Ｒｅｓｏｕｒｃｅ  Ｉｄｅｎｔｉｆｉｅｒ（ＵＲＩ）を識別子として用いる場合、２５５＊８においてオーバーヘッドは大きく、重すぎる。したがって、ＥＳＧフラグメントを識別するために、短い３２ビットの整数識別子が使用された。しかしながら、識別子は、対応するＥＳＧフラグメントの各々について固有のものでなければならない。非固有識別子によって異なるソースからのＥＳＧフラグメントを識別することができるので、必要な識別子の固有性を与えるために、全体にわたって３２ビット整数識別子の管理を集中化することが必要である。例えば、ＥＳＧフラグメントは、多くの場合、異なるソースから集積されるので、各々のソースが標準的な識別子スキームを用いることができず、異なるソースの間で識別子の競合があり得る。この例においては、異なるソースは、異なるソースからの対応するＥＳＧフラグメントについて同じ識別子を用いることができる。集積者において同じ識別子を有する異なるソースからの異なるＥＳＧフラグメントが受信されたときに、競合が生じる。
【００１９】
図３は、本発明の少なくとも１つの態様による、例示的なトランスポート・オブジェクトの概略図である。一般に、単一のトランスポート・オブジェクト３００は、コンテナ・ヘッダ３１０とコンテナ・ペイロード３２０とを含む。ヘッダ３１０及びペイロード３２０を単一のトランスポート・オブジェクト３００内に組み込むことによって、各ヘッダを、異なるトランスポート・オブジェクト内でどこに各コンテナを配置するかに関する情報と再び結びつける必要がなくなる。さらに、以前のシステムにおいて提示されるような、どれを最初に伝送するかという問題もなくなる。コンテナ・ヘッダ３１０は、ヘッダ及び／又はコンテナ・ペイロード３２０に関する構成情報を含むことができる。１つの実施形態においては、受信機に該ヘッダのエントリ長を知らせるために、ヘッダ３１０がコード化される。
【００２０】
１つの実施形態において、コンテナ・ペイロード３２０内のＥＳＧフラグメント３４０を識別する、複数のＥＳＧフラグメント記述子エントリ３３０を有することができるので、受信機は、含まれるＥＳＧフラグメント３４０の各々の正確な位置及び／又は長さを判断することができる。例えば、１つの実施形態においては、例えば、オフセット値、始点及び終点等を与えることによって、フィールドが、コンテナ・ペイロード内で特定のＥＳＧが始まる場所を指定する。他の実施形態においては、メタデータ３５０を、ヘッダ３１０内に位置する又はヘッダ３１０に近接する個々のＥＳＧフラグメント３４０、記述子エントリ３３０、ＥＳＧフラグメント３４０、又はそれらの混合物と関連付けることができる。１つの例示的な実施形態において、３ＧＰＰメタデータ・エンベロープとＥＳＧフラグメント３４０との関連性は、特定のＥＳＧフラグメントに関連してヘッダ３１０内に配置される付加的なメタデータと置き換えてもよく、又はその必要性をなくしてもよい。
【００２１】
受信機の位置に対応する情報を伝送内に含ませることができる。位置情報は、例えば、ＥＳＧフラグメント、コンテンツ・フラグメント、又は別個の位置フラグメントなどにおける他のいずれかのデータ伝送内に含ませることができる。情報は、ブロードキャスト領域に対応するパラメータ又はエレメントを含む種々のパラメータを含むことができる。一例として、ブロードキャスト伝送が含む領域についての情報を、エレメント「ｂｒｏａｄｃａｓｔ＿ａｒｅａ」内に含ませることができる。ｂｒｏａｄｃａｓｔ＿ａｒｅａエレメントは、ブロードキャスト領域をさらに定めることができる付加的な関連情報を提供できるサブエレメントを含み得る。一例として、ｂｒｏａｄｃａｓｔ＿ａｒｅａエレメントは、ブロードキャスト伝送を提供できる配信領域を定めるのに用い得るｔａｒｇｅｔ＿ａｒｅａサブエレメントを含むことができる。一例において、ｔａｒｇｅｔ＿ａｒｅａサブエレメントは、ｔａｒｇｅｔ＿ａｒｅａサブエレメントに加えて、他のサブエレメントを含み得るｂｒｏａｄｃａｓｔ＿ａｒｅａエレメントのサブエレメントである。サブエレメントはまた、他のサブエレメントを含むこともできる。例えば、ｂｒｏａｄｃａｓｔ＿ａｒｅａエレメントのｔａｒｇｅｔ＿ａｒｅａサブエレメントは、ブロードキャスト伝送を提供できる領域の形状を記述するサブエレメントを含むことができる。形状サブエレメントは、例えば、正方形、矩形、三角形、円形、楕円形等のいずれかの所望の形状を示すことができる。さらに別の例として、ｔａｒｇｅｔ＿ａｒｅａサブエレメントは、特定の指定された国（例えば、「ｃｃ」サブエレメントなど）に対応するコードを提供できる国コード・サブエレメントをさらに含むことができる。例えば、国コードとして３桁の数を提供することができる。一例として、ｃｃサブエレメントは、アルバニアの国に対応する「３５５」である。これは、単に国コード・パラメータを示すための例にすぎず、任意の所望の国に対して、任意の数又はコードを用い得ることを認識すべきである。
【００２２】
ｔａｒｇｅｔ＿ａｒｅａサブエレメントは、地理的領域の名前を示すことができる名前サブエレメントをさらに含むことができる。例えば、ｔａｒｇｅｔ＿ａｒｅａサブエレメントは、都市の名前を記述できる「ｎａｍｅ＿ａｒｅａ」サブエレメントを含むことができる「ｎａｍｅ＿ａｒｅａ」サブエレメントを含むことができる（例えば、ｎａｍｅ＿ａｒｅａサブエレメントは、大韓民国の都市を記述するための「Ｓｅｏｕｌ」とすることができる）。さらに、ｔａｒｇｅｔ＿ａｒｅａサブエレメントは、位置が関連した郵便番号をもつ場合にその位置の郵便番号を記述するサブエレメントを含むことができる。この例において、ｔａｒｇｅｔ＿ａｒｅａサブエレメントは、ブロードキャスト領域の郵便番号を提供する整数タイプのｚｉｐ＿ｃｏｄｅサブエレメントを含むことができる。ｔａｒｇｅｔ＿ａｒｅａサブエレメントは、サブエレメント、すなわち形状、ｃｃ、ｎａｍｅ＿ａｒｅａ、及びｚｉｐ＿ｃｏｄｅの１つ又はそれ以上を含むことができる。ブロードキャスト領域を定めるために、これらを別個に又は組み合わせて用いることができる。
【００２３】
ブロードキャストを提供できる物理的領域を記述するためのｔａｒｇｅｔ＿ａｒｅａサブエレメントに加えて、ブロードキャスト領域記述子又はエレメントはまた、提供されたブロードキャスト領域の水平方向の正確さを記述するためのパラメータ又はサブエレメントを含むこともできる。例えば、所望であれば、水平方向の正確さを提供できるｂｒｏａｄｃａｓｔ＿ａｒｅａエレメント又は記述子内に、ｈｏｒ−ａｃｃサブエレメント又はパラメータを提供することができ、これを、ブロードキャスト領域を定めるためのｔａｒｇｅｔ＿ａｒｅａサブエレメントのサブエレメントと組み合わせて用いることができる。
【００２４】
本発明の別の例において、ブロードキャスト伝送の位置を記述するパラメータ又はエレメント（例えば、ｂｒｏａｄｃａｓｔ＿ａｒｅａパラメータ、或いはｔａｒｇｅｔ＿ａｒｅａパラメータ又はサブエレメント、或いはそれらの組み合わせ）は、ブロードキャスト伝送のセルラー・ネットワークと関連したセルＩＤを提供するためのパラメータ又はサブエレメントをさらに含むことができる。セルＩＤは、例えば、移動体端末が伝送を受信することができ、特定の位置にユーザを位置させ得る領域に対応することができる。ある領域においては、セルは、例えば、半径１／２マイル以下といった、比較的小さいものとすることができる。他の領域においては、セルは、例えば、半径５マイルまでといった、より大きいものにすることができる。セルのサイズは、多くの要因によって決まり得る。例えば、より都会の領域では、セル半径は、地方の領域におけるものより小さくすることができる。
【００２５】
セルは、ブロードキャスト伝送において記述することができるセルＩＤと関連付けることができる。この例において、セルＩＤは、位置情報内のサブエレメントとして含められる。上記の例において、ｔａｒｇｅｔ＿ａｒｅａパラメータ又はサブエレメントは、ブロードキャスト伝送が提供される領域（すなわち、伝送を配信するためのターゲット領域）を記述し、提供するために提供される。ｔａｒｇｅｔ＿ａｒｅａパラメータは、ターゲット領域に対応するセルのセルＩＤを記述するｃｅｌｌ＿ＩＤパラメータ又はサブエレメントを含むことができる。また、特定の位置を定めることができるグループ内にセルＩＤを含ませることもできる。例えば、異なるセルの複数のセルＩＤを互いにグループ化して、位置パラメータ又はエレメント内のパラメータ又はサブエレメントにおいて記述できるセルＩＤグループを形成することができる。セルＩＤグループは、例えば、単一のセルＩＤサブエレメント又はパラメータより大きい関連領域を記述することができる。
【００２６】
次の表１は、移動体ブロードキャスト・システムにおいて位置情報を提供できる記述子、エレメント、パラメータ、又はサブエレメントの例を提供する。このような情報は、ＥＳＧフラグメント内に保持することができる。
表１
2009507444.tif 000003
タイプを、エレメント（Ｅ）、属性（Ａ）、第１レベルのサブエレメント（Ｅ１）、第２レベルのサブエレメント（Ｅ２）、又は第３レベルのサブエレメント（Ｅ３）とすることができる場合、カテゴリは、随意的（Ｏ）又は好ましい／必須（Ｍ）とすることができる。
【００２７】
上述のように、パラメータ、エレメント、又はサブエレメントの１つ又はそれ以上をＥＳＧフラグメント内に保持することができる。本発明の一例においては、ＥＳＧフラグメントにおいて受信された位置情報に基づいて、特定の位置にブロードキャスト・サービス又はプログラムを提供するために、送信機が与えられる。図４は、ブロードキャスト・データを位置に伝送するための送信機の一例を示す部分ブロック図である。この例においては、送信機４００は、遠隔ソースからデータを受信するための入力部４０１を含む。受信されたデータは、関連したプログラム又はサービスに対応するＥＳＧフラグメントのための情報を含むことができる。さらに、プログラム又はサービスを特定の位置にブロードキャストすることができる。
【００２８】
図４の例が示すように、送信機４００は、位置ＩＤ入力部４０３において位置パラメータを受信することができる。例えば、位置パラメータは、伝送が割り当てられる領域を記述するパラメータとすることができる。一例として、位置パラメータは、伝送がブロードキャストされるセルに対応するセルＩＤである。送信機４００は、位置ＩＤ入力部４０３で位置パラメータを受信し、プロセッサ４０２で位置パラメータを処理することができる。位置ＩＤ入力部４０３で受信された位置パラメータに基づいて、送信機は、ネットワーク管理モジュール４０４に信号を送ることができ、該ネットワーク管理文字４０４は、ネットワーク内の関連したプログラム又はサービスを指示された位置（例えば、セルＩＤ）に割り当てることができる。プログラム又はサービスの割り当てにおいて、プログラム又はサービスには、アクセス・パラメータを与えることができ、それらを指示された位置で受信できるようにする。したがって、送信機４００は、割り当てられたネットワークにわたるプログラム又はサービスを、加入者端末又は受信機（図示せず）に出力することができる。
【００２９】
代替的に、ネットワーク管理モジュール４０４は、ネットワーク内のどこか別の場所に配置することもできる。別の例において、ネットワーク管理モジュール４０４は、送信機４００とは別個のコンポーネントにしてもよい。別の例において、ネットワーク管理モジュール４０４は、受信機又は加入者端末内に配置することができる。
【００３０】
図５は、受信機又は加入者端末の一例を示す部分ブロック図である。この例において、受信機５００は、セルＩＤのような、位置を示す信号を受信する位置入力部５０１を含む。上述のように、加入者端末又は受信機の位置に基づいてプログラム又はサービスを提供するために、送信機において、位置についての情報を受信し、処理することができる。位置入力部５０１においてセルＩＤのような位置情報を受信することができる。位置入力に基づいて、プロセッサ５０３は、入力部５０２からのデータの入力を制御することができる。例えば、位置入力部５０１で受信された位置情報が、受信されたプログラム又はサービスにおける位置情報と対応しない場合、入力部５０２におけるプログラム又はサービスは、加入者端末又は受信機が配置されている位置に対応しない。この場合、受信機５００は、プログラム又はサービスを受信することができない。しかしながら、入力部５０２での伝送に対応する位置情報と合致させるように、プロセッサ５０３が位置入力部５０１で受信された位置情報を判断する場合、受信機５００において、情報をプロセッサ５０３によって処理することができる。例えば、受信された伝送は、記憶装置（メモリ記憶）５０４内に格納してもよく、或いは加入者端末又は受信機５００で出力してもよい。例えば、出力部５０５を介して、情報を加入者端末又は受信機で表示することができる。
【００３１】
図６は、プログラム又はサービス伝送のための移動体ブロードキャスト・システムにおいて位置を定める例を示すフローチャートである。この例においては、ネットワーク管理モジュールにおいて、位置情報が受信される（ステップ６０１）。ネットワーク管理モジュールは、送信機内、受信機内、又はネットワーク内のどこか別の場所に配置することができる。位置情報は、プログラム又はサービスがブロードキャストされる位置を識別できるいずれかの情報とすることができる。例えば、位置情報は、郵便番号情報、都市又は地政学的名称情報等を含むことができる。ネットワーク管理モジュールは、位置情報（例えば、郵便番号）を受信し、位置情報によって示される領域に対応するセルＩＤを決定することができる。位置情報が郵便番号である場合には、ネットワーク管理モジュールは、郵便番号領域に対応するセルＩＤを決定することができる（ステップ６０２）。次に、ブロードキャストされるプログラム又はサービス、及び対応するＥＳＧフラグメントは、ネットワークに割り当てられ、セルＩＤによって指示される位置の加入者端末又は受信機に送信される（ステップ６０３）。このように、プログラム又はサービス、及び対応するＥＳＧフラグメントを適切な受信者に伝送することができる（ステップ６０４）。データ伝送を受信する加入者端末又は受信機はまた、ＥＳＧ、及びセルＩＤ位置に合うように調整されたプログラム又はサービスのコンテンツを受信することもできる。
【００３２】
説明のために、郵便番号をネットワーク管理モジュールに与えることができる。位置識別を対応するセルＩＤと合致させることができる。ネットワーク管理モジュールは、位置識別に基づいて、セルＩＤによって指示された位置に対応するプログラム又はサービスを割り当てることができる。同様に、加入者端末又は受信機は、セルＩＤにおいて、位置特有のプログラミング及び対応するＥＳＧフラグメントを受信することができる。
【００３３】
別の例において、グループＩＤ（例えば、Ｃｅｌｌ＿Ｇｒｏｕｐ＿ＩＤ）によってセルＩＤのグループを記述できるように、幾つかのセルＩＤを組み合わせることができる。したがって、より広い地域内でプログラム又はサービスをブロードキャストすることができる。また、プログラム又はサービスが提供される地域は、例えば、都市、地政学的領域、又は州のようないずれかの所望の領域に対応することができる。
さらに別の例において、セル・グループＩＤのグループをエレメントによって記述できるように、幾つかのセル・グループＩＤを組み合わせることができる。例えば、Ｌｏｓ  Ａｎｇｅｌｅｓに対応するセル・グループＩＤを、Ｓａｎ  Ｄｉｅｇｏに対応するセル・グループＩＤと組み合わせて、「Ｓｏｕｔｈｅｒｎ  Ｃａｌｉｆｏｒｎｉａ」についてのセル・グループＩＤを生成することができる。
【００３４】
セルＩＤパラメータは、ネットワークのタイプによって多くの形態を取ることができる。例えば、パラメータを用いられるシステム（例えば、ＢＣＭＣＳ、ＭＢＭＳ、ＤＶＢ−Ｈ等）に適合させるように、セルＩＤパラメータに新しい名前を付けることができる。次の表２は、用いられるシステム又はセルラー・ネットワークに基づいて用い得るパラメータの例を提供する。これらのパラメータのいずれも、標準化された形式又はパラメータ名に対応するように、マッピングすることができる。
表２
2009507444.tif 000004
【００３５】
本発明の実施形態は、ここに開示された新規な特徴又は特徴の組み合わせを、明示的に又は何らかの一般化した形で含むことができる。現在のところ好ましい本発明を実施する形態を含む特定の例に関して説明されたが、当業者であれば、上述のシステム及び技術の種々の変形及び置換があることを理解するであろう。したがって、本発明の精神及び範囲は、添付の特許請求の範囲に述べられたように広く解釈されるべきである。
【図面の簡単な説明】
【００３６】
【図１】本発明の様々な態様を実施できる無線通信システムのブロック図を示す。
【図２】本発明の態様による移動体端末のブロック図を示す。
【図３】本発明の態様による、例示的なトランスポート・オブジェクトの概略図を示す。
【図４】本発明の１つ又はそれ以上の例証となる実施形態を実施できる位置にブロードキャスト・データを伝送するための送信機の一例を示す、部分ブロック図である。
【図５】本発明の１つ又はそれ以上の例証となる実施形態を実施できる、受信機又は加入者端末の例を示す部分ブロック図である。
【図６】本発明の１つ又はそれ以上の例証となる実施形態を実施できる、プログラム又はサービス伝送のための移動体ブロードキャト・システムにおいて、位置を定める例を示すフローチャートである。
【図１】
2009507444.tif 000005
【図２】
2009507444.tif 000006
【図３】
2009507444.tif 000007
【図４】
2009507444.tif 000008
【図５】
2009507444.tif 000009
【図６】
2009507444.tif 000010
【国際調査報告】
2009507444.tif 000011
2009507444.tif 000012
2009507444.tif 000013
2009507444.tif 000014